(57)【特許請求の範囲】
【請求項１】
ケーブルの主延び方向に対して横方向でケーブル受容部からプリント基板を介して案内された導体を用いて、ケーシングのケーブル受容部内に挿入されるケーブルをケーシングによって支持されたプリント基板に接続する方法であって、前記導体が、プリント基板の上面側でプリント基板にろう接されており、ケーブルの主延び方向に対して横方向でケーブル芯線の端部領域を折曲げることにより前記導体を形成する形式のものにおいて、プリント基板側に向けて開放されたケーブル受容部内にケーブル主延び方向に対して横方向でケーブルを押込むことによってケーブル芯線を折曲げること特徴とする、プリント基板にケーブルを接続する方法。
【請求項２】
プリント基板を保持するためのケーシングであって、該ケーシングがケーブル受容部を有し、該ケーブル受容部内にケーブル芯線を有するケーブルが挿入されており、該ケーブルが、請求項１記載の方法により導体を用いてプリント基板に接続される形式のものにおいて、ケーブル受容部（２）がプリント基板（１０）側からケーシング（１）内に案内されており、プリント基板（１０）に案内される導体がケーブル芯線（９）の前端の折曲げによって形成されていることを特徴とする、プリント基板を保持するためのケーシング。
【請求項３】
ケーブル受容部（２）が少なくとも一方の側部に受容部横断面を狭めるリブ（３，４，５）を有していて、該リブにより残存の横断面がケーブル外径に相応するよりも縮小されており、前記リブがケーブル受容部（２）の底面（６）に対して間隔を置いて終わっていて、該間隔が、ケーブル半径よりも大きいがケーブル直径よりも小さく設計されている、請求項２記載のケーシング。
【請求項４】
リブ（３，４，５；１３，１４，１５）がケーブル受容部（２）の互いに向かい合う両側部に設けられている、請求項３記載のケーシング。
【請求項５】
全体として各側部に３つのリブ（３，４，５；１３，１４，１５）が設けられている、請求項３記載のケーシング。
【請求項６】
リブ（３，４，５；１３，１４，１５）が三角形形状の横断面を有していて、三角形の尖端がケーブル（７）に向けられている、請求項２から５までのいずれか１項記載のケーシング。
【発明の詳細な説明】
【０００１】
【発明の属する技術分野】
本発明は、ケーブルの主延び方向に対して横方向でケーブル受容部からプリント基板を介して案内された導体を用いて、ケーシングのケーブル受容部内に挿入されるケーブルをケーシングによって支持されたプリント基板に接続する方法であって、前記導体が、プリント基板の上面側でプリント基板にろう接されている形式のものに関する。更に本発明は、プリント基板を保持するためのケーシングであって、該ケーシングがケーブル受容部を有し、該ケーブル受容部内にケーブル芯線を有するケーブルが挿入されており、該ケーブルが、請求項１又は２のいずれか１項に記載の方法により導体を用いてプリント基板に接続される形式のものに関する。
【０００２】
【従来の技術】
最近ではケーブルは、まずケーブル端部がろう接ピンに接続され、該ろう接ピンが導体によってプリント基板を貫通してプリント基板の上面側でプリント基板にろう接されることによって、プリント基板に接続される。ろう接ピンを有するケーブルは、ケーシングの射出成形前に射出成形型内に導入され、これによりケーシングを製作する際にろう接ピンはケーブルと共に周囲に射出成形されて固定される。
【０００３】
プリント基板とケーブルとの前記結合形式では、ケーブルをプリント基板に接続する構成部材としてろう接ピンが必要である。ろう接ピンを有するケーブルは射出成形型内で位置決めされねばならないので、ケーブルとプリント基板とを電気的に接続するために費やされる費用は比較的高額である。
【０００４】
【発明が解決しようとする課題】
本発明の第１の課題は、できるだけ僅かな費用でケーシングがプリント基板に接続されるケーブルを備えることができるような冒頭に述べた形式の方法を提供することにある。
【０００５】
更に本発明の第２の課題は、このようなケーブルを備えた、前記方法を実施するために特に適したケーシングを提供することにある。
【０００６】
【課題を解決するための手段】
前記第１の課題は本発明の方法によれば、ケーブルの主延び方向に対して横方向でケーブル芯線の端部領域を折曲げることにより導体を形成することによって解決された。
【０００７】
前記第２の課題は、プリント基板を保持するための、ケーブルを備えたケーシングにおいて、本発明によれば、ケーブル受容部がプリント基板側からケーシング内に案内されており、プリント基板に案内される導体がケーブル芯線の前端の折曲げによって形成されていることによって解決された。
【０００８】
【発明の効果】
上記本発明による方法によって、構成部材、即ち、ケーシング内に射出成形固定されるろう接ピンが省かれる。本発明によればろう接ピンは、ケーブル芯線の端部領域を折曲げることにより形成される。ケーブル芯線の端部領域の折曲げは、ケーブル芯線にろう接ピンをろう接結合するよりも著しく僅かな費用で済むので、全体的にみて構成部材の節約によりコストが節減されるのみならず、製作費用も減少される。
【０００９】
ケーブル芯線の所要の折曲げはケーブル取付け時に必然的に行うことができるので、本発明の有利な方法によりケーブル芯線の折曲げがプリント基板側に向けて開放されたケーブル受容部内へのケーブル主延び方向に対して横方向のケーブル押込みによって行われる場合には、付加的な作業過程が不要になる。
【００１０】
更に、上記本発明によるケーシングによって、プリント基板を有する構成部材を極めて安価に製作することができる。それというのも、構成部材用のケーブルを特に簡単な形式で取付けかつプリント基板に接続できるからである。
【００１１】
ケーブル受容部が少なくとも一方の側部に受容部横断面を狭めるリブを有していて、該リブにより残存の横断面がケーブル外径に相応するよりも縮小されており、前記リブがケーブル受容部の底面に対して間隔を置いて終わっていて、該間隔が、ケーブル半径よりも大きいがケーブル直径よりも小さく設計されている場合には、ケーブルに作用する引張り力によって、ケーブルがケーブル受容部から引き出されかつケーブル芯線とプリント基板との接続部が破損されることはない。リブはケーブル受容部の底面にまで達していないので、リブによって同時に、ケーブルがプリント基板側に向けてケーブル受容部から離脱することが、阻止される。
【００１２】
本発明の別の構成により、ケーブル受容部の互いに向かい合う両側部にリブが設けられている場合には、ケーブルは特に最適にケーブル受容部内に保持される。
【００１３】
更に、全体として各側部に３つのリブが設けられている場合には、ケーブル押込みのために不所望に大きな力を必要とすることなしに、ケーブルは極めて固定的にケーブル受容部内に保持される。
【００１４】
更に、リブが、三角形形状の横断面を有し、三角形の尖端がケーブルに向けられている場合には、リブはケーブルの絶縁体内に食い込みかつ形状結合によりケーブルを保持する。
【００１５】
本発明は種々の実施例で実施可能である。基本原理を詳細に説明するために、以下に図示の実施例について説明する。
【００１６】
【発明の実施の形態】
第１図で図示のケーシング１は、上向きに開放されたケーシング切欠きとして形成されたケーブル受容部２を備えていて、該ケーブル受容部の横断面はリブ３，４，５によって狭められている。リブ３，４，５は、上方からケーブル受容部２内に導入されかつケーブル受容部２の底面６に対して僅かな間隔を置いて終わっている。
【００１７】
第１図ではケーシング１の上側にケーブル７が図示されていて、該ケーブルは、錫メッキされた銅素線として形成されたケーブル芯線９と絶縁体８とを有している。ケーブル芯線の前方領域は、絶縁体８を剥ぎ取られていてかつ第１図においてケーブル８の主延び方向でケーシング１の上方までケーブル受容部２を越えて延びている。
【００１８】
ケーブル７がケーブル主延び方向に対して横方向でケーブル受容部２内に押し込まれた場合には、ケーブル芯線９の前端はケーシング１に当接しかつ９０度折曲げられ、これによりケーブル７は完全にケーブル受容部２内に達することができるようになる（第２図参照）。第２図から明らかなように、ケーブル芯線９の前端はピンのように上向きにケーブル受容部２から突出する。
【００１９】
第３図で図示の製作段階では、ケーブル芯線９の端部がプリント基板１０の孔１１を介して突出するように、プリント基板１０がケーシング１に載設される。プリント基板１０とケーブル芯線９との電気的な接続は、ろう接個所１２によって行われる。
【００２０】
第４図から明らかなように、ケーブル受容部２はそれぞれ互いに向かい合う側面に互いに対置して３つのリブ３，４，５及び１３，１４，１５を有しておりかつ該リブは三角形の横断面を有していて、この場合それぞれの尖端はケーブル受容部２内に突入している。更に第４図から明らかなように、ケーブル受容部２は幅の減少したそれぞれ１つの付加部１６を有していて、前記幅は、ケーブル芯線９の直径よりも僅かに大きく設計されている。第４図によればケーシング１は全体として３つのケーブル受容部２，２′，２″を有していて、この場合ケーブル受容部２′及び２″内にそれぞれ１つのケーブル７′，７″が挿入されている。
【図面の簡単な説明】
【図１】ケーブルをケーシングのケーブル受容部内に挿入する前のケーシングの断面図。
【図２】ケーブル挿入後の第１図のケーシングを示す図。
【図３】プリント基板取付け後の第１図及び第２図のケーシングを示す図。
【図４】第２図のケーシングの平面図。
【符号の説明】
１  ケーシング、  ２，２′，２″  ケーブル受容部、  ３，４，５；１３，１４，１５  リブ、６  底面、  ７，７′，７″  ケーブル、  ８  絶縁体、  ９  ケーブル芯線、  １０  プリント基板
【図１】
0004068777.tif 000002
【図２】
0004068777.tif 000003
【図３】
0004068777.tif 000004
【図４】
0004068777.tif 000005